(57)【要約】【課題】  ＤＡＭＡ方式の衛星通信回線において、子局に接続されたＩＰ電話による通信を行う際に、ＢＯＤ制御や周波数ホッピングに伴う音声通信の瞬断を抑制することができる衛星通信方法、子局及び親局を得ることを目的とする。【解決手段】  子局２に接続されたＩＰ電話から発したＩｎｖｉｔｅメッセージに基づき、子局２から親局１へＩＰ電話開始通知をＣＳＣ回線により送信し、これを受信した親局１にて通信回線をＩＰ電話用回線に変更する。子局２と相手子局２は通信回線を親局２からの回線変更信号に基づき変更し、ＩＰ端末間及びＩＰ電話間での通信を行う。また、ＩＰ電話による音声通信を開始した子局２及び相手子局２ではＢＯＤ制御による帯域変更要求信号の生成を停止する。【選択図】        図４
2008252609.tif 000002
【特許請求の範囲】
【請求項１】
衛星を経由するＣＳＣ回線により子局から回線割り当てを要求し、親局により通信回線を割り当て、上記子局と相手子局との間で衛星通信を行う回線割当型の衛星通信方法において、上記子局に接続されたＩＰ電話からの呼出信号に基づきＩＰ電話開始通知を上記子局から上記親局へ上記ＣＳＣ回線により送信し、このＩＰ電話開始通知を受信した上記親局により、上記子局と上記相手子局との間の通信回線をＩＰ電話用帯域に変更することを特徴とする衛星通信方法。
【請求項２】
衛星を経由するＣＳＣ回線により回線割り当てを要求し、親局により通信回線を割り当てられて、相手子局との間で衛星通信を行う子局において、接続された第１のＩＰ電話からの呼出信号に基づいて、上記ＣＳＣ回線により送信するＩＰ電話開始通知を生成する衛星ＧＷ装置と、この衛星ＧＷ装置により生成した上記ＩＰ電話開始通知を上記ＣＳＣ回線により上記親局へ送信し、上記親局によりＩＰ電話用帯域に割り当てられた通信回線により相手子局に接続された第２のＩＰ電話との間の音声通信を行う衛星通信装置とを備えたことを特徴とする子局。
【請求項３】
衛星を経由するＣＳＣ回線により子局から送信される回線割当要求に基づき、上記子局と相手子局との間で行う衛星通信の通信回線を割り当てる親局において、上記子局に接続された第１のＩＰ電話からの呼出信号に基づき上記子局から送信されたＩＰ電話開始通知を上記ＣＳＣ回線により受信する親局衛星通信装置と、このＩＰ電話開始通知に基づき上記子局と上記相手子局との間の通信回線をＩＰ電話用帯域に割り当てるＤＡＭＡ制御装置とを備えたことを特徴とする親局。
【請求項４】
衛星を経由するＣＳＣ回線により回線割り当てを要求し、親局により通信回線を割り当てられて、相手子局との間で衛星通信を行う子局において、接続されたＩＰ端末からのデータを伝送し、そのデータ伝送量の増減に基づいて上記親局へ帯域幅の増減を要求する帯域変更要求信号を生成する衛星ＧＷ装置と、この衛星ＧＷ装置から伝送されたデータを上記親局により割り当てられた上記通信回線により送信する衛星通信装置とを備え、上記衛星ＧＷ装置はＩＰ電話からの呼出信号に基づき上記ＣＳＣ回線により送信するＩＰ電話開始通知を生成するとともに、上記ＩＰ電話による音声通信中は上記帯域変更要求信号の生成を停止することを特徴とする子局。
【請求項５】
衛星を経由するＣＳＣ回線により子局から送信される回線割当要求に基づき、上記子局と相手子局との間で行う衛星通信の通信回線を割り当てる親局において、上記子局に接続された第１のＩＰ電話からの呼出信号に基づき上記子局から送信されたＩＰ電話開始通知を上記ＣＳＣ回線により受信する親局衛星通信装置と、上記子局と上記相手子局との間の通信回線がＩＰ電話中であることを識別し、周波数ホッピングの対象外とするＤＡＭＡ制御装置とを備えたことを特徴とする親局。
【発明の詳細な説明】
【技術分野】
【０００１】
この発明は、衛星を介した要求割当多元接続方式の衛星通信により、子局に接続されたＩＰ電話を含む端末装置の音声及びデータ通信を行う衛星通信方法、子局及び親局に関するものである。
【背景技術】
【０００２】
昨今のインターネット通信の発達により、インターネットによるデータ通信が盛んに行われるに至り、さらにインターネットを介した音声通信もＩＰ電話システムの構築技術に支えられて普及しつつある。このＩＰ電話によるインターネットを介した音声通信は、その音声通信が備えるべき同時性のため、他のデータ通信とは異なり、その音声通信の開始・変更・終了の各シグナリングプロセスに適するプロトコルが必要である。その代表的なプロトコルとして、ＲＦＣ３２６１規格及びそれに関連する規格に規定されるＳＩＰ（Ｓｅｓｓｉｏｎ  Ｉｎｉｔｉａｔｉｏｎ  Ｐｒｏｔｏｃｏｌ）があり、このアプリケーション層でのプロトコルにより、ＩＰ電話等の種々のサービスが提供される。一方、衛星通信分野においては、古くは１対１の衛星通信装置間での固定方式の通信から、要求割当多元接続方式（以下「ＤＡＭＡ方式」と呼ぶ。ＤＡＭＡはＤｅｍａｎｄ  Ａｓｓｉｇｎｍｅｎｔ  Ｍｕｌｔｉｐｌｅ  Ａｃｃｅｓｓの略である。）の通信、さらにはイリジウム計画等のＣＤＭＡ或いはＦＤＭＡ方式を用いた衛星携帯電話による通信が案出されるに至っている。衛星通信は、広域性かつ公共性の観点から、また遠隔無線通信の特殊性に基づく通信の確立性の追求により、地上における有線通信とは異なる技術発展の経緯を有するものであった。
【０００３】
衛星通信におけるＤＡＭＡ方式は、衛星通信回線を複数の子局により有効に利用するための方式であり、適宜、子局間または子局／親局間での通信に使用する通信回線を割り当てるために、通信回線とは異なる制御回線（「ＣＳＣ回線」と呼ばれる。）上で、子局から通信回線の割り当て要求を発し、この回線割当要求を親局にて受信し、親局によって通信回線を割り当てるものである。特許文献１には、ＤＡＭＡ方式の衛星通信システムにおいて、子局に電話端末が接続されて子局間での電話による音声通信を行う場合に、親局に電話端末の固有番号の少なくとも一部、例えば、０３（東京）や０６（大阪）という部分と、中継する子局群の番号とを対応させた子局データファイルを設けた従来の技術が開示されている。この従来の技術によれば、１の子局に接続された電話端末から相手電話端末の固有番号をダイヤルしたときに、親局にて、その相手電話端末の固有番号の少なくとも一部により子局データファイルから対応する相手子局を選択し、当該１の子局と相手子局との間に衛星通信回線を割り当てることにより、当該１の子局からの発呼の際に相手子局を指定する必要がなく、操作性が向上される。また非特許文献１には、ＤＡＭＡによる衛星通信回線制御を行う衛星通信システムにおいて、ＢＯＤ（Ｂａｎｄｗｉｄｔｈ  Ｏｎ  Ｄｅｍａｎｄ）制御を行う従来技術が開示されている。この従来技術によれば、衛星通信回線がＤＡＭＡ制御により割当てられた地球局間での通信速度を十数段階に分けて、速度変更することができる。具体的には、子局に設けたデータ伝送装置によりトラヒック量を監視し、トラヒック量に応じた伝送速度の変更要求をＤＡＭＡ制御局へ送信する。この変更要求に対してＤＡＭＡ制御局において回線設定を行い、子局へ回線制御信号を送信し、受信した子局は回線制御信号に従って、周波数チャネルや伝送速度の設定を行う。
【０００４】
【特許文献１】特開平１０−５１３７０号公報
【０００５】
【非特許文献１】「ＩＰ伝送対応衛星通信システムの開発」菊田徹著、２００４年  電子情報通信学会総合大会予稿集Ｂ−３−２、Ｐ．３３０、２００４年３月２２日
【発明の開示】
【発明が解決しようとする課題】
【０００６】
上述のように、例えばＳＩＰプロトコル等に基づくＩＰ電話による音声通信においては、通信の同時性が要求されるとともに、音声が途切れないようにする必要があるが、非特許文献１に開示されたＢＯＤ制御によってデータ伝送量の増減に基づき回線変更が行われると、音声通信が回線切り替え中は瞬断してしまうという問題点があった。また、親局において与えられた通信帯域の有効利用を図るために周波数ホッピング（再割り当て）が行われると、その周波数ホッピングに伴なう子局間の通信回線の切断・接続によっても、音声通信が瞬断してしまうという問題点があった。
【０００７】
この発明は、上記のような問題点を解決するためになされたもので、ＤＡＭＡ方式の衛星通信回線において、子局に接続されたＩＰ電話による通信を行う際に、ＢＯＤ制御や周波数ホッピングに伴う音声通信の瞬断を抑制することができる衛星通信方法、子局及び親局を得ることを目的とする。
【課題を解決するための手段】
【０００８】
請求項１の発明に係る衛星通信方法は、衛星を経由するＣＳＣ回線により子局から回線割り当てを要求し、親局により通信回線を割り当て、上記子局と相手子局との間で衛星通信を行う回線割当型の衛星通信方法において、上記子局に接続されたＩＰ電話からの呼出信号に基づきＩＰ電話開始通知を上記子局から上記親局へ上記ＣＳＣ回線により送信し、このＩＰ電話開始通知を受信した上記親局により、上記子局と上記相手子局との間の通信回線をＩＰ電話用帯域に変更するものである。
【０００９】
請求項２の発明に係る子局は、衛星を経由するＣＳＣ回線により回線割り当てを要求し、親局により通信回線を割り当てられて、相手子局との間で衛星通信を行う子局において、接続された第１のＩＰ電話からの呼出信号に基づいて、上記ＣＳＣ回線により送信するＩＰ電話開始通知を生成する衛星ＧＷ装置と、この衛星ＧＷ装置により生成した上記ＩＰ電話開始通知を上記ＣＳＣ回線により上記親局へ送信し、上記親局によりＩＰ電話用帯域に割り当てられた通信回線により相手子局に接続された第２のＩＰ電話との間の音声通信を行う衛星通信装置とを備えたものである。
【００１０】
請求項３の発明に係る親局は、衛星を経由するＣＳＣ回線により子局から送信される回線割当要求に基づき、上記子局と相手子局との間で行う衛星通信の通信回線を割り当てる親局において、上記子局に接続された第１のＩＰ電話からの呼出信号に基づき上記子局から送信されたＩＰ電話開始通知を上記ＣＳＣ回線により受信する親局衛星通信装置と、このＩＰ電話開始通知に基づき上記子局と上記相手子局との間の通信回線をＩＰ電話用帯域に割り当てるＤＡＭＡ制御装置とを備えたものである。
【００１１】
請求項４の発明に係る子局は、衛星を経由するＣＳＣ回線により回線割り当てを要求し、親局により通信回線を割り当てられて、相手子局との間で衛星通信を行う子局において、接続されたＩＰ端末からのデータを伝送し、そのデータ伝送量の増減に基づいて上記親局へ帯域幅の増減を要求する帯域変更要求信号を生成する衛星ＧＷ装置と、この衛星ＧＷ装置から伝送されたデータを上記親局により割り当てられた上記通信回線により送信する衛星通信装置とを備え、上記衛星ＧＷ装置はＩＰ電話からの呼出信号に基づき上記ＣＳＣ回線により送信するＩＰ電話開始通知を生成するとともに、上記ＩＰ電話による音声通信中は上記帯域変更要求信号の生成を停止するものである。
【００１２】
請求項５の発明に係る親局は、衛星を経由するＣＳＣ回線により子局から送信される回線割当要求に基づき、上記子局と相手子局との間で行う衛星通信の通信回線を割り当てる親局において、上記子局に接続された第１のＩＰ電話からの呼出信号に基づき上記子局から送信されたＩＰ電話開始通知を上記ＣＳＣ回線により受信する親局衛星通信装置と、上記子局と上記相手子局との間の通信回線がＩＰ電話中であることを識別し、周波数ホッピングの対象外とするＤＡＭＡ制御装置とを備えたものである。
【発明の効果】
【００１３】
請求項１乃至請求項３に記載の発明によれば、子局に接続されたＩＰ電話からの呼出信号に基づきＩＰ電話開始通知を子局から親局へＣＳＣ回線により送信し、このＩＰ電話開始通知を受信した親局により、子局と相手子局との間の通信回線をＩＰ電話用帯域に変更するので、子局間でのＩＰ電話による音声通信が周波数ホッピングによって瞬断することを防ぐことができる。
【００１４】
請求項４に記載の発明によれば、ＩＰ電話からの呼出信号に基づきＣＳＣ回線により送信するＩＰ電話開始通知を生成するとともに、ＩＰ電話による音声通信中は帯域変更要求信号の生成を停止するので、ＩＰ電話による音声通信がＢＯＤ制御によって瞬断することを防止することができる。
【００１５】
請求項５に記載の発明によれば、子局に接続されたＩＰ電話からの呼出信号に基づきＩＰ電話開始通知が子局からＣＳＣ回線により送信され、これを親局にて受信し、子局と相手子局との間の通信回線がＩＰ電話中であることを識別して周波数ホッピングの対象外とするので、子局間でのＩＰ電話による音声通信が周波数ホッピングによって瞬断することを防ぐことができる。
【発明を実施するための最良の形態】
【００１６】
実施の形態１
【００１７】
この発明の実施の形態１に係る衛星通信方法、子局及び親局を図１乃至図４を用いて説明する。図１はこの発明の実施の形態１に係る衛星通信システムの構成を表す構成図である。図１において、１は親局、２は子局、３は通信衛星であり、４は子局２から親局１へ通信衛星３を介して制御信号を送信する上りＣＳＣ回線であり、５は親局１から子局２へ通信衛星３を介して制御信号を送信する下りＣＳＣ回線である。この上りＣＳＣ回線４により、子局２から通信回線の割り当てを要求する回線割当要求信号を親局１へ送信し、親局１において子局間の通信回線６を割り当てる。割り当てられた通信回線６の回線情報は、下りＣＳＣ回線５により回線割当応答信号として親局１から子局２および通信相手となる他の子局２へ送信される。この回線割当応答信号を受信した子局２と相手子局２との間で通信衛星３を介した通信回線６により通信が行われる。この通信回線６は親局１と子局２との間の通信においても回線割り当てされるものである。
【００１８】
次に親局１及び子局２の構成について説明する。図２はこの発明の実施の形態１に係る子局及び親局の構成を表す構成図である。図２に示す親局１において、７は通信衛星３との間で無線波の送受信、変復調及び信号処理を行う親局衛星通信装置、８はＤＡＭＡ方式の回線制御を行うＤＡＭＡ制御装置であり、上りＣＳＣ回線４により子局２から受信する制御信号による制御処理、及び下りＣＳＣ回線５により子局２へ送信する制御信号の生成を行う。親局衛星通信装置７において、９は通信衛星３との間で電波の送受信を行う送受信機であり、信号の周波数変換や増幅等を行う。１０は送受信する制御信号を変復調するＣＳＣ回線変復調部であり、ＰＳＫ（位相シフト変復調）等の各種変復調方式に基づき、制御信号を変復調する。１１は送信信号のフレーム処理及び誤り訂正符号処理、受信信号の誤り訂正処理及びフレーム処理を行う信号処理部である。
【００１９】
図２に示す子局２および接続される装置の構成について説明する。１２はＩＰ端末、１３はＩＰ電話であり、ＩＰ端末１２は他の子局２に接続されるＩＰ端末１２との間で主としてデータ通信を行うための装置であり、ＩＰ電話１３は他の子局２に接続されるＩＰ電話１３との間で主として音声通信を行う装置である。このＩＰ端末１２とＩＰ電話１３はインターネットプロトコルに従うパケット通信が行える装置であり、ＩＰ端末１２には音声通信機能を持たせることも可能であり、そのようなＩＰ端末１２の音声通信機能は本発明にいうＩＰ電話に含まれるものとする。また、子局２はインタフェース装置１４（以下、Ｉ／Ｆ１４と記載する。）を介して、外部の他ネットワーク１６とも接続され、この接続には、一般にプロキシサーバ１５を経由する。図２に示す子局２において、１７は通信衛星３との間で無線波の送受信、変復調及び信号処理を行う衛星通信装置、１８はＩＰ端末１２やＩＰ電話１３による通信を子局２の衛星通信装置１７を介して行うために、データや音声データの伝送処理を行う衛星ゲートウェイ装置（以下、衛星ＧＷ装置と記載する。）である。衛星通信装置１７において、１９は通信衛星３との間で電波の送受信を行う送受信機であり、信号の周波数変換や増幅等を行う。２０は送受信する制御信号を変復調するＣＳＣ回線変復調部であり、ＰＳＫ（位相シフト変復調）等の各種変復調方式に基づき、制御信号を変復調する。２１は送受信する通信信号を変復調する通信回線変復調部であり、ＰＳＫ（位相シフト変復調）等の各種変復調方式に基づき、通信信号を変復調する。２２は送信信号のフレーム処理及び誤り訂正符号処理、受信信号の誤り訂正処理及びフレーム処理を行う信号処理部である。２３はＣＳＣ回線変復調部２０により受信した回線割当応答信号に基づき通信回線変復調部２１の送受信周波数や帯域の制御を行う制御部である。衛星ＧＷ装置１８において、２４はＩＰ端末１２やＩＰ電話１３による通信における伝送データの識別を行い、衛星通信装置１７と、ＩＰ端末１２及びＩＰ電話１３との間で伝送データの受け渡しを行う伝送制御部であり、２５は伝送されるデータの流量をモニタし、流量に応じて速度の変更を要求するＢＯＤ制御部である。
【００２０】
図２に図示しないが、親局１の親局衛星通信装置７内には、子局２の衛星通信装置１７内の通信回線変復調部２１に相当する回路部が、親局１内には、子局２の衛星ＧＷ装置１８に相当する装置があり、親局１に接続されるＩＰ端末やＩＰ電話、またインタフェースを介した他のネットワークの装置が親局１を利用して、通信衛星を介した通信回線６により、複数の子局に接続されたＩＰ端末等との間で通信が行えるものである。この親局１において、ＩＰ端末等に提供される機能を果たす回路及び装置は、子局２に該当するものであると考えればよい。
【００２１】
この親局１及び子局２の動作について、まず子局に接続されたＩＰ端末１２間での通信衛星３を介したデータ通信を行う場合の動作を説明する。伝送制御部２４はＩＰ端末１２からの伝送データをバッファリングしながら信号処理部２２へ伝送しており、伝送制御部２４と信号処理部２２へ伝送できる伝送データ量は、衛星通信装置１７に割り当てられた通信回線の帯域幅に依存する。子局２は相手子局２とのデータ通信が必要になると、親局１に対して回線割当要求信号を上りＣＳＣ回線４により送信する。この回線割当要求信号は相手子局を特定する情報を含むものであり、伝送制御部２４にて生成され、信号処理部２２で信号処理されてＣＳＣ回線変復調部２０により変調され、送受信機１９により送信される。親局１は上りＣＳＣ回線４をモニタしており、回線割当要求信号を受信復調し、信号処理して再生する。親局２の信号処理部１１により再生された回線割当要求信号はＤＡＭＡ制御装置８に入力され、ＤＡＭＡ制御装置８はシステム専用帯域（通信システムに与えられる使用できる周波数帯域のこと）中の空き領域を検索し、空き領域に通信回線を割り当て、その中心周波数と帯域幅の情報、及び当該回線割当要求をした子局２と相手子局２とを特定する情報を含む回線割当応答信号を生成し、信号処理部１１へ出力する。回線割当応答信号は、信号処理部１１により信号処理され、ＣＳＣ回線変復調部１０により変調され、送受信機９から下りＣＳＣ回線５により送信される。子局２と相手子局２は、下りＣＳＣ回線５をモニタしており、回線割当応答信号を受信すると、これを復調し再生して割り当てられた中心周波数と帯域幅に通信回線変復調部２１を設定して子局間での通信を行う。ここで割り当てられる通信回線は子局２から相手子局２への送信回線、相手子局２から子局２への送信回線である。子局２間での通信が終了すると、子局２の伝送制御部２４にて通信終了信号が生成されて、上りＣＳＣ回線４により親局２へ送信され、親局２は割り当てていた通信回線を開放し、システム専用帯域中の空き領域とする。なお、親局１が子局２との間で通信を開始する場合の回線割当は、直接親局１のＤＡＭＡ制御装置８で行い、回線割当応答信号を相手子局２へ下りＣＳＣ回線５により送信すればよい。子局２間での通信は１対のＩＰ端末１２間で行われる場合だけでなく、当該子局２間で複数対のＩＰ端末１２間で行われる場合もあり、ＩＰ端末１２の対の増減によりデータ伝送量が増減する。
【００２２】
データ伝送量は衛星ＧＷ装置１８のＢＯＤ制御部２５にて検出している。このＢＯＤ制御部２５は伝送制御部２４を流れるデータがバッファされる量によりデータ伝送量を把握することができる。検出したデータ伝送量が増減した場合、ＢＯＤ制御部２５は、帯域変更要求信号を生成して上りＣＳＣ回線４により送信し、親局２にて帯域変更要求信号を受信して、ＤＡＭＡ制御装置８にて通信回線の再割り当てを行うＢＯＤ制御が行われる。親局２のＤＡＭＡ制御装置８は回線再割当応答信号を生成して下りＣＳＣ回線５により送信し、これを受信した子局２及び相手子局２は回線再割当応答信号に基づき通信回線の周波数及び帯域を変更する。このような通信回線の再割り当てによって、システム専用帯域の柔軟な運用が行えるものである。ただし、このような回線の再割り当ての動作においては、使用中の通信回線の切断動作と再割り当てされた通信回線への接続動作を必要とし、これらの動作に伴ない相当時間の通信断が発生するものである。
【００２３】
一方、親局２においては、子局２間の通信回線の割り当て（ＢＯＤ制御による変更割り当ても含む）とその開放を繰り返していくうちに、通信帯域中に小さな帯域幅の空き帯域が散在する状況となり得る。このような空き帯域の存在はシステムに割り当てられた通信帯域の有効利用を妨げるものとなる。親局２は、子局２間に割り当てた通信回線６を通信帯域内の別の帯域に移動させる、周波数ホッピングの機能を有する。図３は親局２における周波数ホッピングによる通信回線６の帯域変更を表す模式図である。図３（ａ）は周波数ホッピング前の通信帯域の割当状況を示しており、Ａ帯域及びＣ帯域は空き帯域となっているが、Ｂ帯域にある通信回線によって分断され、特にＣ帯域は帯域幅が狭い状態となり、このＣ帯域への新たな通信回線割り当てができず、無駄な領域となっている。図３（ｂ）は周波数ホッピング後の通信帯域の割当状況を示しており、周波数ホッピング前にＢ帯域にあった通信回線をＤ帯域に移した状態となっている。これにより分断されたＡ帯域とＣ帯域が広いＥ帯域に吸収され、元のＣ帯域へも回線割り当てが可能となり、周波数の有効利用が可能となる。このような周波数ホッピングの動作によっても、子局間で使用中の通信回線の切断動作と再割り当てされた通信回線への接続動作を必要とし、これらの動作に伴なって、相当時間の通信断が発生する。
【００２４】
次に、この親局１及び子局２の動作について、子局に接続されたＩＰ電話１３間での通信衛星３を介した音声通信を行う場合の動作を説明する。音声通信を行うためのプロトコルがＳＩＰである場合を例にとって説明するが、他のＩＰ電話通信用のプロトコルについても同様な動作となる。図４はＳＩＰプロトコルによるＩｎｖｉｔｅメッセージに対する処理を表す処理シーケンス図である。図４において、ステップＳ１によりＩＰ端末１２からＩＰデータが送信され、これを受信した子局２の衛星ＧＷ装置１８は回線割当要求信号を生成し、ステップＳ２により衛星通信装置１７から上りＣＳＣ回線４により送信する。親局衛星通信装置７は回線割当要求信号を受信し、ＤＡＭＡ制御装置８は子局２と相手子局２の通信回線６を割り当て、ステップＳ３により回線割当応答信号を下りＣＳＣ回線５により送信する。この回線割当応答信号を受信した子局２及び相手子局２は割り当てられた通信回線６を用いて、ステップＳ４により通信を開始する。子局２に接続されたＩＰ電話１３が相手子局２に接続されたＩＰ電話１３へ発呼すると、ステップＳ５により呼出信号であるＩｎｖｉｔｅメッセージが発呼側のＩＰ電話１３から子局２の衛星ＧＷ装置１８へステップＳ５により送出される。子局２の伝送制御部２４は、Ｉｎｖｉｔｅメッセージを検出すると、このＩｎｖｉｔｅメッセージを相手子局２との間の通信回線６により相手子局２へ衛星通信装置１７を介してステップＳ６により送信するとともに、ＩＰ電話による音声通信が開始されることをステップＳ７により親局２へ通知する。この通知は、上りＣＳＣ回線４において行い、子局２は制御信号であるＩＰ電話開始通知を送信する。ステップＳ６により送信されたＩｎｖｉｔｅメッセージを受信した相手子局２は、Ｉｎｖｉｔｅメッセージに含まれる相手ＩＰ電話の固有情報（ＳＩＰ  ＵＲＩやＩＰアドレス等）に基づき、自局に接続された相手ＩＰ電話１３を特定し、特定した相手ＩＰ電話１３へＩｎｖｉｔｅメッセージをステップＳ８により送出する。ＩＰ電話開始通知を受けた親局１のＤＡＭＡ制御装置８は、通信回線６が周波数ホッピングしないようにＩＰ電話用帯域へ回線変更する。図５は親局１による回線変更を表す模式図である。図５に示すように、通信帯域は周波数ホッピングが可能な通常割当帯域と、親局の自動的な周波数ホッピングを許可しないＩＰ電話用帯域とにより構成するものとする。図５（ａ）はＩＰ電話開始通知前の回線割当状況を示しており、子局２から相手子局２への通信回線ｆ３及び相手子局２から子局２への通信回線ｆ４が通常割当帯域に割り当てられている。図５（ｂ）はＩＰ電話開始通知後に、子局２から相手子局２への通信回線をＩＰ電話用帯域内のｆ５に、相手子局２から子局２への通信回線をＩＰ電話用帯域内のｆ６に親局２が回線変更したものである。この変更後の回線情報に基づき親局１のＤＡＭＡ制御装置８は回線変更信号を生成し、図４のステップＳ９において、下りＣＳＣ回線５により子局２と相手子局２へ送信する。回線変更信号を受信した子局２及び相手子局２は通信回線を切り替え、変更完了信号をステップＳ１０において、上りＣＳＣ回線４により親局１へ送信し、子局間でのＩＰ端末によるデータ���信とＩＰ電話による音声通信を行う。ステップＳ１０において、変更完了信号を送信したのち、子局２と相手子局２とはそれぞれのＢＯＤ制御部２５における帯域変更要求信号の生成を停止するものとする。
【００２５】
ＩＰ電話１３と相手ＩＰ電話１３との間での音声通信が終了すると、ＩＰ電話１３の受話器を置く動作により、コールの終了を示すＢｙｅメッセージがステップＳ１１により送出される。子局２は、ステップＳ１２においてＢｙｅメッセージを通信回線（ｆ５、ｆ６）により相手子局２へ送信するとともに、ステップＳ１３において親局２へＩＰ電話による音声通信の終了を示すＩＰ電話終了通知を上りＣＳＣ回線４により送信する。相手子局２は、ステップＳ１４によりＢｙｅメッセージを相手ＩＰ電話１３へ送信する。親局１のＤＡＭＡ制御装置８は受信したＩＰ電話終了通知に基づき、子局２と相手子局２との間の通信回線を、ＩＰ電話用帯域から通常割当帯域に回線変更し、回線変更後の回線情報に基づき回線変更信号を生成し、ステップＳ１５において、下りＣＳＣ回線５により子局２と相手子局２へ送信する。回線変更信号を受信した子局２及び相手子局２は通信回線を切り替え、変更完了信号をステップＳ１６において、上りＣＳＣ回線４により親局１へ送信し、子局間でのＩＰ端末によるデータ通信を行う。ステップＳ１６ののち、子局２と相手子局２とはそれぞれのＢＯＤ制御部２５における帯域変更要求信号の生成を再開するものとする。
【００２６】
以上のように、ＩＰ電話による音声通信が行われている期間中は、子局２と相手子局２においてＢＯＤ制御が停止することにより、ＩＰ電話による音声通信がＢＯＤ制御による回線変更により瞬断することを防ぐことができる。また、ＩＰ電話による音声通信を開始した子局間の通信回線がＩＰ電話用帯域に回線変更されるので、ＩＰ電話による音声通信が、親局１による周波数ホッピングによって、瞬断することを防ぐことができる。
【００２７】
また、通信帯域を通常割当帯域とＩＰ電話用帯域とに分けて管理せずに、通常割当帯域のみであるとした場合にも、ＩＰ電話による音声通信を開始した子局間の通信回線を、親局１においてＩＰ電話中であると識別し、このＩＰ電話中の通信回線を周波数ホッピング制御の対象から除くようにしてもよく、この場合もＩＰ電話中の通信回線では周波数ホッピングによる瞬断を防ぐことができる。なお、親局１のＤＡＭＡ制御装置８は、受信したＩＰ電話開始通知に基づき、該当する通信回線がＩＰ電話中であることを示すフラグを立てておき、このフラグの有無により通常割当帯域に割り当てた通信回線が周波数ホッピングの対象外であることを識別することができる。
【００２８】
さらに、上記の例ではＳＩＰプロトコルによるＩｎｖｉｔｅメッセージを子局２の伝送制御部２４において検出して、親局１へＩＰ電話開始通知を行っているが、ＲＴＰ（Ｒｅａｌ−ｔｉｍｅ  Ｔｒａｎｓｐｏｒｔ  Ｐｒｏｔｏｃｏｌ）パケットを検出して、図４のステップＳ５により親局１へ同時性（リアルタイム）通信の開始通知を送信してもよく、この場合のその後の処理シーケンスも、ＩＰ電話開始通知の場合と同様に行うこととしてもよい。
【００２９】
さらに、子局２間においてＩＰ端末間の通信が生起しておらず通信回線が割り当てられていない場合に、ＩＰ電話のＩｎｖｉｔｅメッセージを子局２が受けた場合には、相手子局との間の通信回線の割り当てを受けるために回線割当要求信号を上りＣＳＣ回線により親局１へ送出することになるが、この回線割当要求信号にＩＰ電話による音声通信を開始することを示す識別符号を付すようにしてもよい。この回線割当要求信号を受信した親局１において、ＤＡＭＡ制御装置８は、音声通信の開始を示す識別符号を検出することにより、ＩＰ電話用帯域に子局間の通信回線を割り当てることになる。
【図面の簡単な説明】
【００３０】
【図１】この発明の実施の形態１に係る衛星通信システムの構成を表す構成図である。
【図２】この発明の実施の形態１に係る子局及び親局の構成を表す構成図である。
【図３】親局における周波数ホッピングによる通信回線の帯域変更を表す模式図である。
【図４】Ｉｎｖｉｔｅメッセージに対する処理を表す処理シーケンス図である。
【図５】親局による回線変更を表す模式図である。
【符号の説明】
【００３１】
１  親局
２  子局
３  通信衛星
４  上りＣＳＣ回線
５  下りＣＳＣ回線
６  通信回線
７  親局衛星通信装置
８  ＤＡＭＡ制御装置
１３  ＩＰ電話
１７  衛星通信装置
１８  衛星ＧＷ装置
【図１】
2008252609.tif 000003
【図２】
2008252609.tif 000004
【図３】
2008252609.tif 000005
【図４】
2008252609.tif 000006
【図５】
2008252609.tif 000007